(57)【要約】【課題】消費電力を抑制する上で有利な近接通信用データ処理装置を提供する。【解決手段】クロック制御部６は、ＲＦフロントエンド部１のＲＦレベル検出回路１１により検出されたＲＦ信号受信期間に限り、パッシブモードにおいて動作するディジタル回路へ、それら各ディジタル回路が通常動作状態で機能するように外部クロックＯＳＣをもとに所定周波数のクロック信号を供給する。一方、ＲＦフロントエンド部１のＲＦレベル検出回路１１により前記ＲＦ信号受信期間が検出されないときには、前記各ディジタル回路へのクロック信号の供給を停止するか、またはクロック信号の周波数を前記所定周波数より低い周波数に制御し、前記各ディジタル回路を低消費電力状態に移行させる。【選択図】図１
2007199895.tif 000002
【特許請求の範囲】
【請求項１】
非接触式インタフェースとホストインタフェースとを備え、アクティブモードおよびパッシブモードの動作モードを有し、アクティブ側から照射された無線周波数信号によりＲＦ受信処理部が起動される前記パッシブモードにおいて、アクティブ側ホストからのデータを前記非接触式インタフェースを介して受信し、前記パッシブモードで動作するディジタル回路により前記受信したデータを処理し、前記処理したデータをバッファメモリを介在させて前記ホストインタフェースを介してパッシブ側ホストへ転送する近接通信用データ処理装置であって、
前記パッシブモードにおける前記アクティブ側から照射された無線周波数信号を受信したＲＦ信号受信期間を検出するＲＦ信号受信期間検出部と、
前記ＲＦ信号受信期間検出部により検出された前記ＲＦ信号受信期間に限り、前記パッシブモードにおいて動作するディジタル回路を通常動作状態に制御する動作状態制御手段を備えたことを特徴とする近接通信用データ処理装置。
【請求項２】
前記ＲＦ信号受信期間検出部は、前記アクティブ側から照射された無線周波数信号の受信レベルをもとに、前記ＲＦ信号受信期間を検出することを特徴とする請求項１記載の近接通信用データ処理装置。
【請求項３】
前記動作状態制御手段は、前記ＲＦ信号受信期間検出部により検出されたＲＦ信号受信期間に限り、前記パッシブモードにおいて動作するディジタル回路へ所定周波数のクロック信号を供給し、前記ディジタル回路を通常動作状態に制御することを特徴とする請求項１記載の近接通信用データ処理装置。
【請求項４】
前記動作状態制御手段は、前記ＲＦ信号受信期間検出部により検出されたＲＦ信号受信期間に限り、前記パッシブモードにおいて動作するディジタル回路へ供給される電源電圧を規定の電圧レベルに制御し、前記ディジタル回路を通常動作状態に制御することを特徴とする請求項１記載の近接通信用データ処理装置。
【請求項５】
前記動作状態制御手段は、前記ＲＦ信号受信期間検出部により前記無線周波数信号が検出されないＲＦ信号非検出期間、前記パッシブモードにおいて動作するディジタル回路を低消費電力状態に制御することを特徴とする請求項１記載の近接通信用データ処理装置。
【請求項６】
前記動作状態制御手段は、前記ＲＦ信号受信期間検出部により前記無線周波数信号が検出されないＲＦ信号非検出期間、前記パッシブモードにおいて動作するディジタル回路へ供給されるクロック信号の周波数を制御し、前記ディジタル回路を低消費電力状態に制御することを特徴とする請求項５記載の近接通信用データ処理装置。
【請求項７】
前記動作状態制御手段は、前記ＲＦ信号受信期間検出部により前記無線周波数信号が検出されないＲＦ信号非検出期間、前記パッシブモードにおいて動作するディジタル回路へ供給される電源電圧を規定の電圧レベルより小さい値に制御し、前記ディジタル回路を低消費電力状態に制御することを特徴とする請求項５記載の近接通信用データ処理装置。
【請求項８】
初期状態において前記動作モードをパッシブモードに設定するとともに、前記パッシブモードにおいて動作するディジタル回路を低消費電力状態に制御する初期状態設定手段を備えたことを特徴とする請求項１記載の近接通信用データ処理装置。
【請求項９】
前記初期状態設定手段は、前記初期状態において、前記パッシブモードにおいて動作するディジタル回路へ供給されるクロック信号の周波数を制御し、前記ディジタル回路を低消費電力状態に制御することを特徴とする請求項８記載の近接通信用データ処理装置。
【請求項１０】
前記初期状態設定手段は、前記初期状態において、前記パッシブモードにおいて動作するディジタル回路へ供給される電源電圧を規定の電圧レベルより小さい値に制御し、前記ディジタル回路を低消費電力状態に制御することを特徴とする請求項８記載の近接通信用データ処理装置。
【発明の詳細な説明】
【技術分野】
【０００１】
本発明は、非接触式インタフェースおよび接触式インタフェースを有し、パッシブモードとアクティブモードの両方の機能を備えたバッテリレス型の近接通信用データ処理装置に関する。
【背景技術】
【０００２】
従来、非接触式インタフェースおよび接触式インタフェースを有するバッテリレス型のＩＣカードが知られている。
このようなＩＣカードには近接通信によるデータのリード／ライトを可能にする近接通信用データ処理装置（以下、ＮＦＣ“Ｎｅａｒ  Ｆｉｅｌｄ  Ｃｏｍｍｕｎｉｃａｔｉｏｎ”−Ｒ／Ｗチップという）が用いられている。
ＮＦＣ−Ｒ／Ｗチップは、非接触式インタフェースおよび接触式インタフェースを有し、前記非接触式インタフェースを介してアクティブ側ホストからデータを受信するパッシブモード、および、前記非接触式インタフェースを介してパッシブ側ホストへデータを送出するアクティブモードの両動作モードを有している。
ＮＦＣ−Ｒ／Ｗチップは、前記アクティブ側ホストからのデータを前記非接触式インタフェースを介して受信し、前記パッシブモードにおいて動作するディジタル回路により前記受信したデータを処理し、前記処理したデータを、内部バッファＲＡＭ（Ｒａｎｄｏｍ  Ａｃｃｅｓｓ  Ｍｅｍｏｒｙ）を介在させ、前記接触式インタフェースを介してパッシブ側ホストへ転送する。
【０００３】
このバッテリレス型のＩＣカードに用いられるＮＦＣ−Ｒ／Ｗチップでは、パッシブモードのときには、例えば無線カードリーダ・ライタから受信したＲＦ信号をもとに電源の生成とクロック信号の抽出を行い、このＲＦ信号をもとに生成した電源またはホスト側から供給される外部電源、前記ＲＦ信号をもとに抽出したクロック信号または前記ホスト側から供給される外部クロック信号により各部が駆動されていた。
【０００４】
このようなＩＣカードに用いられる非接触式インタフェースおよび接触式インタフェースを有したＩＣモジュールとして、ＩＣカードが接触式インタフェースを介して駆動されているときには、スイッチにより非接触式インタフェースの動作を禁止状態にし、ＩＣカードが非接触式インタフェースを介して駆動されているときには、スイッチにより接触式インタフェースの動作を禁止状態にするものが提案されている（特許文献１参照）。
【特許文献１】特開平１１−２７２８２２号公報
【発明の開示】
【発明が解決しようとする課題】
【０００５】
ところで、上記のような従来のＮＦＣ−Ｒ／Ｗチップでは、アクティブ側ホストから無線通信により送られてくるデータは、前記アクティブ側ホスト側から起動されたパッシブモードで非接触式インタフェースを介して受信し、この受信したデータをパッシブ側ホストへ転送するが、このパッシブ側ホストへのデータの受け渡しは、前記アクティブ側のＮＦＣ−Ｒ／ＷチップからＲＦ照射（無線周波数信号の照射）を受けている期間、すなわち前記アクティブ側ホストからデータを受信している期間に行われる。
このため、前記アクティブ側のＮＦＣ−Ｒ／Ｗチップからデータを受信していない期間では、前記パッシブモードで機能するディジタル回路は仕事をしていない。
しかしながら、このパッシブモードのＮＦＣ−Ｒ／Ｗチップでは、前記アクティブ側ホストからデータを受信していない期間、すなわち前記パッシブモードで機能するディジタル回路が仕事をしていない期間でも電源が常時供給されていることから、前記ディジタル回路において無用の電力消費が発生しているという課題があった。
一方、前記アクティブ側のＮＦＣ−Ｒ／Ｗチップにおいては、常にＲＦ照射を行なっており、常時、パッシブ側の機器を受け付けるように構成されている。このため、前記アクティブ側のＮＦＣ−Ｒ／Ｗチップにおいても電源が常時供給されており、無用の電力消費が発生しているという課題があった。
本発明は、このような事情に鑑みなされたものであり、その目的は、消費電力を抑制する上で有利な近接通信用データ処理装置を提供することにある。
【課題を解決するための手段】
【０００６】
上記目的を達成するため、本発明の近接通信用データ処理装置は、非接触式インタフェースとホストインタフェースとを備え、アクティブモードおよびパッシブモードの動作モードを有し、前記パッシブモードにおいてアクティブ側ホストからのデータを前記非接触式インタフェースを介して受信し、前記パッシブモードにおいて動作するディジタル回路により前記受信したデータを処理し、前記処理したデータをバッファメモリを介在させて前記ホストインタフェースを介してパッシブ側ホストへ転送する近接通信用データ処理装置であって、前記アクティブ側ホストから起動される前記パッシブモードにおける前記アクティブ側ホストから照射された無線周波数信号を受信したＲＦ信号受信期間を検出するＲＦ信号受信期間検出部と、前記ＲＦ信号受信期間検出部により検出された前記ＲＦ信号受信期間に限り、前記パッシブモードにおいて動作するディジタル回路を通常動作状態に制御する動作状態制御手段を備えたことを特徴とする。
【発明の効果】
【０００７】
本発明の近接通信用データ処理装置によれば、アクティブ側ホストから起動されるパッシブモードにおけるアクティブ側から照射された無線周波数信号を受信したＲＦ信号受信期間をＲＦ信号受信期間検出部により検出し、前記検出した前記ＲＦ信号受信期間に限り、前記パッシブモードにおいて動作するディジタル回路を動作状態制御手段により通常動作状態に制御する。
このため、前記パッシブモードにおいては、前記アクティブ側から照射された無線周波数信号を受信したＲＦ信号受信期間に限り電力消費が発生し、それ以外の無線周波数信号を受信しないＲＦ信号非受信期間では消費電力は発生せず、消費電力を抑制できる近接通信用データ処理装置を提供できる。
【発明を実施するための最良の形態】
【０００８】
（第１の実施の形態）
以下、本発明の第１の実施の形態の近接通信用データ処理装置について図面を参照して説明する。
図１は、第１の実施の形態の近接通信用データ処理装置の構成を示すブロック図である。
図１に示すように、近接通信用データ処理装置１００は、ＲＦ（Ｒａｄｉｏ−Ｆｒｅｑｅｎｃｙ）フロントエンド部（ＲＦ受信処理部）１と、無線インタフェース回路（非接触式インタフェース）２と、バッファメモリ・メモリ制御部３と、有線インタフェース回路（ホストインタフェース）４と、コントロール部５と、クロック制御部（動作状態制御手段、初期状態設定手段）６と、パワー制御部７とを含んで構成されている。
そして、この近接通信用データ処理装置１００は、無線インタフェース回路２または有線インタフェース回路４を介してアクティブ側ホストからデータを受信するパッシブモード、および、前記有線インタフェース回路４または前記無線インタフェース回路２を介してパッシブ側ホストへデータを送出するアクティブモードの両動作モードに対応できる構成を有している。
なお、以下の説明は、ＲＦフロントエンド部１がアクティブ側から照射されたＲＦ信号を受信して起動されるパッシブモードに適用されるものである。
【０００９】
ＲＦフロントエンド部１は、アンテナとＡＳＫ（Ａｍｐｌｉｔｕｄｅ−Ｓｈｉｆｔ  Ｋｅｙｉｎｇ）変復調回路とを備えている。さらにＲＦフロントエンド部１は、前記アンテナにより受信した前記パッシブモードにおける前記アクティブ側から照射されたＲＦ信号をその受信レベルをもとに検出し、前記ＲＦ信号を受信したＲＦ信号受信期間を示すＲＦ照射検出信号を出力するＲＦレベル検出回路（ＲＦ信号受信期間検出部）１１を備えている。
また、このＲＦフロントエンド部１は、アクティブ動作時においては外部電源Ｖｄｄ、パッシブ動作時においては、受信したＲＦ信号から生成したＲＦ電源により動作する。また、このＲＦフロントエンド部１は、前記パッシブ動作時、アクティブ側から受信したデータから抽出したクロック信号とＡＳＫ復調データとを出力する。
【００１０】
無線インタフェース回路２は、エラー検出やパリティ生成などを行うパリティチェック部、ディジタル変復調などのディジタル信号処理を行うディジタル復調部、システムバス２３を介して他のディジタル回路との間で各種データの授受を行うバスインタフェース部などを備えている。
また、この無線インタフェース回路２には、前記パッシブモード時、ＲＦフロントエンド部１から出力される前記クロック信号と前記ＡＳＫ復調データが供給される。
【００１１】
バッファメモリ・メモリ制御部３は、ＦＩＦＯ（Ｆｉｒｓｔ  Ｉｎ  Ｆｉｒｓｔ  Ｏｕｔ）バッファメモリと、ＦＩＦＯバッファメモリに対するリード／ライトを制御するメモリ制御部などを備えている。
【００１２】
有線インタフェース回路４は、図示していないホスト機器へ接続し、前記ホスト機器との間で各種データの授受を行うものであり、ＵＡＲＴ（Ｕｎｉｖｅｒｓａｌ  Ａｓｙｎｃｈｒｏｎｏｕｓ  Ｒｅｃｅｉｖｅｒ−Ｔｒａｎｓｍｉｔｔｅｒ）、１２Ｃおよびシリアルインタフェースを備え、各種インタフェース規格に対応できるように構成されている。
【００１３】
コントロール部５は、ＣＰＵ、ＲＯＭ、ＲＡＭ、システムバスなどを要素とするマイクロコンピュータにより構成することができ、コマンドレジスタ、タイマ、割り込みコントロール部などを備えている。
コントロール部５は、初期状態においてこの近接通信用データ処理装置の動作モードをパッシブモードに初期設定する初期状態設定手段４１を備えている。
【００１４】
クロック制御部６は、ＲＦフロントエンド部１のＲＦレベル検出回路１１により検出された前記ＲＦ信号受信期間に限り、前記パッシブモードにおいて動作するバッファメモリ・メモリ制御部３、有線インタフェース回路４およびコントロール部５などのディジタル回路へ、それら各ディジタル回路が通常動作状態で機能するように外部クロックＯＳＣをもとに所定周波数のクロック信号を供給する。
一方、ＲＦフロントエンド部１のＲＦレベル検出回路１１により前記ＲＦ信号受信期間が検出されないときには、クロック制御部６は、前記各ディジタル回路へのクロック信号の供給を停止するか、またはクロック信号の周波数を前記所定周波数より低い周波数に制御し、前記各ディジタル回路を低消費電力状態に移行させる機能を備えている。
また、クロック制御部６は、初期状態においては、前記各ディジタル回路へのクロック信号の供給を停止するか、またはクロック信号の周波数を前記所定周波数より低い周波数に制御し、前記各ディジタル回路を低消費電力状態にする初期状態設定手段４２を備えている。
【００１５】
パワー制御部７は、無線インタフェース回路２、バッファメモリ・メモリ制御部３、有線インタフェース回路およびコントロール部５へ供給される外部電源Ｖｄｄを制御するパワー・コントロール部１２、前記外部電源Ｖｄｄの電圧レベルをモニタする電圧モニタ部１３、リセット動作を制御するリセットコントロール１４を備えている。
パワー・コントロール部１２は、無線インタフェース回路２、バッファメモリ・メモリ制御部３、有線インタフェース回路およびコントロール部５の各ディジタル回路へ前記外部電源Ｖｄｄを供給する。
【００１６】
次に動作について説明する。
図２は、アクティブ側ホストからパッシブ側ホストへデータの転送が行われるときの、アクティブ側およびパッシブ側の近接通信用データ処理装置の動作を示すシーケンス図である。
以下、図１のブロック図と図２に示すシーケンス図とを参照して動作について説明する。
パッシブ側の近接通信用データ処理装置がアクティブ側から起動されると、このパッシブ側の近接通信用データ処理装置の無線インタフェース回路２では、アクティブ側ホストから送られてきたデータに対しディジタル復調およびパケット単位のパリティチェックを行い、バッファメモリ・メモリ制御部３のＦＩＦＯバッファメモリへ書き込む（ステップＳ１）。
【００１７】
有線インタフェース回路４では、前記ＦＩＦＯバッファメモリへ書き込まれたデータ量を監視し（ステップＳ２）、ある程度のデータ量に達すると前記ＦＩＦＯバッファメモリからデータの読み出しを行い（ステップＳ３）、パッシブ側ホストへデータを転送する。
図２のシーケンス図に示すように、パッシブ側の近接通信用データ処理装置では、受信したデータをパッシブ側ホストへ転送すればジョブは終了し、ジョブの起動と終息はアクティブ側からのＲＦ照射タイミングに依存する。
【００１８】
第１の実施の形態では、パッシブ側の近接通信用データ処理装置におけるクロック信号を、アクティブ側からＲＦ照射を受けてパッシブ側ホストへデータを転送する期間のみ起動させ、バッファメモリ・メモリ制御部３、有線インタフェース回路４およびコントロール部５などのパッシブモードで動作するディジタル回路へ、それら各ディジタル回路が通常動作状態で機能するように外部クロックＯＳＣをもとに所定周波数のクロック信号を供給する。
このパッシブ側ホストへデータを転送する期間は、ＲＦフロントエンド部１のＲＦレベル検出回路１１が出力するＲＦ信号受信期間を示すＲＦ照射検出信号により規定される。
【００１９】
そして、クロック制御部６が、前記ＲＦ信号受信期間に限り、前記バッファメモリ・メモリ制御部３、有線インタフェース回路４およびコントロール部５などのディジタル回路へ、それら各ディジタル回路が通常動作状態で機能するように外部クロックＯＳＣをもとに所定周波数のクロック信号を供給する。
【００２０】
また、クロック制御部６は、ＲＦフロントエンド部１のＲＦレベル検出回路１１により前記ＲＦ信号受信期間が検出されないときには、前記各ディジタル回路へのクロック信号の供給を停止するか、またはクロック信号の周波数を前記所定周波数より低い周波数に制御し、前記各ディジタル回路を低消費電力状態に移行させる。
このとき、無線インタフェース回路２では、前記ＲＦ信号受信期間が検出されないＲＦ照射を受けていない状況であることから、ＲＦフロントエンド部１からはクロック信号が供給されていない。
この結果、無線インタフェース回路２、バッファメモリ・メモリ制御部３、有線インタフェース回路４およびコントロール部５では、ＲＦ照射を受け前記ＲＦ信号受信期間が検出されている期間に限り所定周波数のクロック信号で動作し、それ以外の期間は近接通信用データ処理装置の消費電力が削減される。
【００２１】
また、近接通信用データ処理装置の動作モードは、コントロール部５の初期状態設定手段４１により初期状態においてパッシブモードに初期設定される。さらに、前記初期状態においては、クロック制御部６の初期状態設定手段４２により、前記各ディジタル回路へのクロック信号の供給が停止され、またはクロック信号の周波数が前記所定周波数より低い周波数に制御され、前記各ディジタル回路が低消費電力状態に制御される。
【００２２】
なお、アクティブ側からのＲＦ照射はデータ送出で開始され、パッシブ側から前記アクティブ側へＡＣＫパケット受信信号が送られる（図２のシーケンス図に示すステップＳ４）ことで終了するように前記アクティブ側で制御されている。
【００２３】
以上のように、第１の実施の形態によれば、アクティブ側からのＲＦ照射によりＲＦフロントエンド部１が動作し起動されるパッシブモードにおけるバッファメモリ・メモリ制御部３、有線インタフェース回路４およびコントロール部５などのディジタル回路では、アクティブ側から照射された無線周波数信号を受信したＲＦ信号受信期間に限りクロック信号が供給され電力消費が発生するが、それ以外の無線周波数信号を受信しないＲＦ信号非受信期間では前記ディジタル回路は前記クロック信号の周波数が低下するかあるいは前記クロック信号の供給が停止される状態へ移行するため消費電力が抑制される。この結果、近接通信用データ処理装置１００の消費電力を抑制する上で有利となる。
【００２４】
（第２の実施の形態）
次に第２の実施の形態について説明する。
第１の実施の形態の近接通信用データ処理装置では、アクティブ側からＲＦ照射を受け無線周波数信号を受信しているＲＦ信号受信期間に限り、パッシブモードで動作するバッファメモリ・メモリ制御部３、有線インタフェース回路４およびコントロール部５などのディジタル回路に対し、所定周波数のクロック信号を供給し通常動作させ、さらにアクティブ側からＲＦ照射を受けていない無線周波数信号を受信しないＲＦ信号非受信期間、前記ディジタル回路に対し、供給されるクロック信号の周波数を落とすか、あるいはクロック信号の供給を停止することで消費電力を抑制していたが、第２の実施の形態の近接通信用データ処理装置では、電源電圧を低下させることで消費電力を抑制する。
【００２５】
図３は、第２の実施の形態の近接通信用データ処理装置の構成を示すブロック図である。なお、図３において図１と同一または相当の部分については同一の符号を付し説明を省略する。
図３に示すように、第２の実施の形態の近接通信用データ処理装置では、パワー制御部７のパワー・コントロール部（動作状態制御手段）１２は、前記ＲＦ信号受信期間に限り前記ディジタル回路へ供給される外部電源Ｖｄｄの電圧を規定の電圧レベルに制御し、前記ディジタル回路を通常動作状態に制御し、さらに前記ＲＦ信号非受信期間では、前記ディジタル回路に対し、供給される外部電源Ｖｄｄの電圧を規定の電圧レベルより小さい値に制御する動作状態制御機能を備えている。
また、パワー・コントロール部１２は、初期状態においては、前記各ディジタル回路へ供給される外部電源Ｖｄｄの電圧を規定の電圧レベルより小さい値に制御し、前記ディジタル回路を低消費電力状態に制御する初期状態設定手段４３を備えている。
【００２６】
次に動作について説明する。
第２の実施の形態では、パワー制御部７が、パッシブ側の近接通信用データ処理装置における無線インタフェース回路２、バッファメモリ・メモリ制御部３、有線インタフェース回路４およびコントロール部５などのパッシブモードで動作するディジタル回路へ、アクティブ側からＲＦ照射を受けてパッシブ側ホストへデータを転送する期間のみ、前記各ディジタル回路が通常動作状態で機能するように外部電源Ｖｄｄの電圧を規定の電圧レベルに制御し供給する。
このパッシブ側ホストへデータを転送する期間は、ＲＦフロントエンド部１のＲＦレベル検出回路１１が出力するＲＦ信号受信期間を示すＲＦ照射検出信号により規定される。
【００２７】
また、パワー制御部７は、ＲＦフロントエンド部１のＲＦレベル検出回路１１により前記ＲＦ信号受信期間が検出されないときには、前記各ディジタル回路へ供給する外部電源Ｖｄｄの電圧を前記規定の電圧レベルより小さい値に制御する。
【００２８】
また、この第２の実施の形態においても近接通信用データ処理装置の動作モードは、コントロール部５の初期状態設定手段４１により初期状態においてパッシブモードに初期設定される。
さらに、前記初期状態においては、初期状態設定手段４３により、前記各ディジタル回路へ供給される外部電源Ｖｄｄの電圧が規定の電圧レベルより小さい値に制御され、前記ディジタル回路を低消費電力状態に制御される。
【００２９】
以上のように、第２の実施の形態によれば、アクティブ側からのＲＦ照射によりＲＦフロントエンド部１が動作し起動されるパッシブモードにおける無線インタフェース回路２、バッファメモリ・メモリ制御部３、有線インタフェース回路４およびコントロール部５などのディジタル回路では、アクティブ側から照射された無線周波数信号を受信したＲＦ信号受信期間に限り規定の電圧レベルの外部電源Ｖｄｄが供給され電力消費が発生するが、それ以外の無線周波数信号を受信しないＲＦ信号非受信期間では前記ディジタル回路へは前記規定の電圧レベルより小さい値に制御された外部電源が供給されるため、近接通信用データ処理装置１００の消費電力を抑制する上で有利となる。
【図面の簡単な説明】
【００３０】
【図１】本発明の第１の実施の形態の近接通信用データ処理装置の構成を示すブロック図である。
【図２】アクティブ側ホストからパッシブ側ホストへデータの転送が行われるときの、アクティブ側およびパッシブ側の近接通信用データ処理装置の動作を示すシーケンス図である。
【図３】本発明の第２の実施の形態の近接通信用データ処理装置の構成を示すブロック図である。
【符号の説明】
【００３１】
１……ＲＦフロントエンド部（ＲＦ受信処理部）、２……無線インタフェース回路（非接触式インタフェース）、３……バッファメモリ・メモリ制御部（バッファメモリ）、４……有線インタフェース回路（ホストインタフェース）、５……コントロール部、６……クロックコントロール部（動作状態制御手段）、１１……ＲＦレベル検出回路（ＲＦ信号受信期間検出部）、１２……パワー・コントロール部（動作状態制御手段）、４１，４２，４３……初期状態設定手段。
【図１】
2007199895.tif 000003
【図２】
2007199895.tif 000004
【図３】
2007199895.tif 000005